(57)【要約】【課題】短時間で間違うことなく配置することが可能な太陽電池モジュール、太陽光発電装置および太陽電池モジュールの製造装置を提供する。【解決手段】太陽電池モジュール１は、太陽光発電装置を設置する際に必要な情報を表示する情報表示部１１を有している。情報表示部に表示される情報としては、図形または文字列で示される太陽電池モジュールの配置位置、太陽電池モジュールの配置順序、太陽光発電装置を構成する太陽電池モジュールの総数、太陽電池モジュールの種類を識別するための文字列などである。作業者は、情報表示部に表示された情報を参照して設置作業を行うことで、短時間で間違うことなく太陽電池モジュールを配置することができる。【選択図】　　　図１
2004047805.tif 000002
【特許請求の範囲】
【請求項１】
予め定める数の太陽電池モジュールを、予め定める配置順序に従って予め定める設置面に予め定める配置順序で配置して構成される太陽光発電装置を構成する太陽電池モジュールであって、
前記太陽光発電装置を設置する際に必要な情報を表示した情報表示部を備えることを特徴とする太陽電池モジュール。
【請求項２】
前記設置面は、複数の領域からなることを特徴とする請求項１記載の太陽電池モジュール。
【請求項３】
前記情報は、太陽電池モジュールの配置位置を含むことを特徴とする請求項１または２記載の太陽電池モジュール。
【請求項４】
前記配置位置は、図形または文字列のいずれかで示されることを特徴とする請求項１〜３のいずれか１つに記載の太陽電池モジュール。
【請求項５】
前記情報は、太陽電池モジュールの配置順序を含むことを特徴とする請求項１〜４のいずれか１つに記載の太陽電池モジュール。
【請求項６】
前記情報は、前記太陽光発電装置を構成する太陽電池モジュールの総数を含むことを特徴とする請求項１〜５のいずれか１つに記載の太陽電池モジュール。
【請求項７】
前記太陽電池モジュールは複数種類あり、
前記情報は、前記太陽電池モジュールの種類を識別するための文字列を含むことを特徴とする請求項１〜６のいずれか１つに記載の太陽電池モジュール。
【請求項８】
前記情報表示部は、前記情報を、太陽電池モジュールに印刷して表示することを特徴とする請求項１〜７のいずれか１つに記載の太陽電池モジュール。
【請求項９】
前記情報表示部は、前記情報を、形状によって表示することを特徴とする請求項１〜８のいずれか１つに記載の太陽電池モジュール。
【請求項１０】
前記情報表示部は、前記情報を記録した磁性体を用いて表示することを特徴とする請求項１〜９のいずれか１つに記載の太陽電池モジュール。
【請求項１１】
請求項１〜１０のいずれか１つに記載の太陽電池モジュールを有することを特徴とする太陽光発電装置。
【請求項１２】
予め定める数の太陽電池モジュールを、予め定める配置順序に従って予め定める設置面に予め定める配置順序で配置して構成される太陽光発電装置を構成する太陽電池モジュールの製造装置であって、
前記太陽光発電装置を設置する際に必要な情報を表示した情報表示部を太陽電池モジュール本体に作成する作成手段を有することを特徴とする太陽電池モジュールの製造装置。
【請求項１３】
予め定める数の太陽電池モジュールを、予め定める配置順序に従って予め定める設置面に予め定める配置順序で配置して構成される太陽光発電装置を構成する太陽電池モジュールの製造装置であって、
前記太陽光発電装置を設置する際に必要な情報を表示した情報表示部を作成する作成手段と、
前記情報表示部を太陽電池モジュール本体に取り付ける取付手段とを有することを特徴とする太陽電池モジュールの製造装置。
【請求項１４】
前記設置面は、複数の領域からなることを特徴とする請求項１２または１３記載の太陽電池モジュールの製造装置。
【請求項１５】
前記情報は、太陽電池モジュールの配置位置を含むことを特徴とする請求項１２〜１４のいずれか１つに記載の太陽電池モジュールの製造装置。
【請求項１６】
前記配置位置は、図形または文字列のいずれかで示されることを特徴とする請求項１２〜１５のいずれか１つに記載の太陽電池モジュールの製造装置。
【請求項１７】
前記情報は、太陽電池モジュールの配置順序を含むことを特徴とする請求項１２〜１６のいずれか１つに記載の太陽電池モジュールの製造装置。
【請求項１８】
前記情報は、前記太陽光発電装置を構成する太陽電池モジュールの総数を含むことを特徴とする請求項１２〜１７のいずれか１つに記載の太陽電池モジュールの製造装置。
【請求項１９】
前記太陽電池モジュールは複数種類あり、
前記情報は、前記太陽電池モジュールの種類を識別するための文字列を含むことを特徴とする請求項１２〜１８のいずれか１つに記載の太陽電池モジュールの製造装置。
【請求項２０】
前記作成手段は、前記情報を、太陽電池モジュールに印刷して記載することを特徴とする請求項１２〜１９のいずれか１つに記載の太陽電池モジュールの製造装置。
【請求項２１】
前記作成手段は、前記情報を、形状によって表示することを特徴とする請求項１２〜２０のいずれか１つに記載の太陽電池モジュールの製造装置。
【請求項２２】
前記作成手段は、前記情報を磁性体に記録して表示することを特徴とする請求項１２〜２１のいずれか１つに記載の太陽電池モジュールの製造装置。
【請求項２３】
少なくとも前記配置順序と太陽電池モジュールの種類とが関連付けられた施工順序情報を記憶する情報記憶手段と、
前記施工順序情報に基づき、配置順序に従って種類に応じた太陽電池モジュール本体を供給する供給手段とを有し、
前記作成手段は、前記施工順序情報に基づき、配置順序に従って配置順序と太陽電池モジュールの種類とを表示する情報表示部を作成することを特徴とする請求項１２〜２２のいずれか１つに記載の太陽電池モジュールの製造装置。
【請求項２４】
前記情報記憶手段は、前記太陽光発電装置を設置する設置面の形状を示す設置面形状情報と、前記設置面における太陽電池モジュールの配置位置情報と、前記太陽電池モジュールの形状を示すモジュール形状情報とを記憶し、
前記設置面形状情報、前記配置位置情報、前記モジュール形状情報および前記施工順序情報に基づいて施工図面を出力する図面出力手段を有することを特徴とする請求項２３記載の太陽電池モジュールの製造装置。
【請求項２５】
前記供給手段は、
複数の太陽電池モジュール本体を蓄積した蓄積手段と、
前記施工順序情報に基づき、前記蓄積部から取り出す太陽電池モジュール本体の種類を指示する指示手段と、
指示された種類の太陽電池モジュール本体を前記蓄積部から取り出す取出手段と、
指示された種類の太陽電池モジュールを取り出したことを通知する通知手段とを有することを特徴とする請求項２３または２４記載の太陽電池モジュールの製造装置。
【請求項２６】
前記指示手段は、太陽電池モジュール本体の種類を、音声、文字および画像のいずれかによって指示することを特徴とする請求項２３〜２５のいずれか１つに記載の太陽電池モジュールの製造装置。
【請求項２７】
前記指示手段は、取り出す種類の太陽電池モジュール本体の蓄積場所を発光または照光することによって指示することを特徴とする請求項２３〜２６のいずれか１つに記載の太陽電池モジュールの製造装置。
【請求項２８】
前記取出手段は、ロボットアームまたはベルトコンベアなどの搬送装置によって前記蓄積部から太陽電池モジュール本体を取り出すことを特徴とする請求項２３〜２７のいずれか１つに記載の太陽電池モジュールの製造装置。
【請求項２９】
前記通知手段は、電気的なスイッチを有し、スイッチのオン／オフが切り換わることによって通知することを特徴とする請求項２３〜２８のいずれか１つに記載の太陽電池モジュールの製造装置。
【請求項３０】
前記通知手段は、太陽電池モジュール本体が前記蓄積部から取り出されたことを検知する検知手段を有し、
前記検知手段が検知したときに通知することを特徴とする請求項２３〜２９のいずれか１つに記載の太陽電池モジュールの製造装置。
【請求項３１】
前記通知手段は、取り出された太陽電池モジュール本体の種類が、指示された種類と一致するか否かを検出する検出手段を有し、
前記検出手段によって、一致していないことが検出されると、その旨を通知することを特徴とする請求項２３〜３０のいずれか１つに記載の太陽電池モジュールの製造装置。
【請求項３２】
前記スイッチは、太陽電池モジュール本体が蓄積されている場所に設置され、
太陽電池モジュール本体が取り出されるとオン／オフが切り換わることを特徴とする請求項２９記載の太陽電池モジュールの製造装置。
【請求項３３】
前記スイッチは、太陽電池モジュール本体の種類ごとに設置され、
スイッチのオン／オフが切り換わったときに、切り換わったスイッチに対応する太陽電池モジュール本体の種類が、指示された種類と一致するか否かを検出する検出手段を有することを特徴とする請求項３１または３２記載の太陽電池モジュールの製造装置。
【請求項３４】
前記情報は、前記図面出力手段から出力された施工図面であることを特徴とする請求項２４記載の太陽電池モジュールの製造装置。
【請求項３５】
前記施工図面は、施工図面を表示する情報表示部を有する太陽電池モジュール自身の位置を強調して示すことを特徴とする請求項３４記載の太陽電池モジュールの製造装置。
【発明の詳細な説明】
【０００１】
【発明の属する技術分野】
本発明は、太陽光などの光をエネルギ源として発電を行う太陽電池モジュール、太陽光発電装置および太陽電池モジュールの製造装置に関する。
【０００２】
【従来の技術】
省エネルギの観点から太陽光を利用して発電を行う太陽光発電装置が注目されている。太陽光発電装置は、火力発電装置や原子力発電装置のように、有限な資源である化石燃料や核燃料を必要とせず、また地球環境に有害な廃棄物も排出しないという長所を備えており、地球環境の破壊を防ぐための優れた発電装置である。太陽光発電装置の基本的な構造としては、複数の太陽電池モジュールとそれらを接続する配線などを備え、この太陽電池モジュールそれぞれが光をエネルギ源として発電を行う。
【０００３】
太陽光発電装置の１つに住宅用太陽光発電装置がある。住宅用太陽光発電装置とは、太陽電池モジュールを住宅の屋根などに設置した太陽光発電装置である。住宅用太陽光発電装置を用いると、個々の住宅において発電が可能となる。
【０００４】
また、住宅用太陽光発電装置には矩形型住宅用太陽光発電装置がある。矩形型住宅用太陽光発電装置は、矩形かつ一定サイズの太陽電池モジュールを縦横に碁盤の目状に整列して屋根に配置する。矩形の太陽電池モジュールを縦横に碁盤の目状に整列して屋根に配置するので、１つの屋根面に配置する全ての太陽電池モジュールを合わせた形は矩形となる。したがって、屋根面の形状が矩形である切妻型の屋根に発電装置を設置する場合、太陽電池モジュールが配置できない屋根面の領域を小さくすることができるため、設置効率を高くすることができる。ここで、設置効率とは、屋根面積に対する太陽電池モジュールの配置面積の比である。太陽光発電装置の発電能力は、太陽電池モジュールの配置面積に比例するので、屋根面の面積が住宅用太陽光発電装置の発電能力を制限する要素となり、設置効率を高くすることで発電能力を向上させることができる。したがって、設置効率は高い方が望ましい場合が多い。
【０００５】
しかし、矩形型住宅用太陽光発電装置を寄棟型の屋根に設置する場合、屋根面の形状として、台形、三角形、平行四辺形またはそれらの組合せや変形四辺形など、矩形以外の形状が多数存在するので、太陽電池モジュールを配置できない領域が大きくなり、設置効率が低くなるという問題がある。また、太陽電池モジュールを配置できない屋根面の領域は、住宅の美観を損ねるという問題にもなる。
【０００６】
設置効率が低いという問題を解決する技術として、特開平１１−１９５８０３号公報に記載の太陽電池モジュールアレイがある。これを従来技術１とする。従来技術１は、２種類以上のサイズの太陽電池モジュールを備えた住宅用太陽光発電装置である。従来技術１では、屋根面のうち、大きな太陽電池モジュールが配置可能な広い領域には大きな太陽電池モジュールを配置し、大きな太陽電池モジュールが配置できない狭い領域には小さな太陽電池モジュールを配置することが可能なので、寄棟型の屋根に対して、高い設置効率で太陽光発電装置を設置することができる。
【０００７】
また、屋根面のうち、太陽電池モジュールを配置できない領域が住宅の美観を損ねるという問題を解決する技術として、太陽電池モジュールを設置できない屋根面の領域にダミーモジュールを配置し、その外観部分に化粧カバーを配置する方法がある。ダミーモジュールとは、屋根面に配置が可能なモジュールであり、太陽電池モジュールに似た外観、または良好な美観を備えている。通常、ダミーモジュールを配置する方法を従来技術１と併用して用いることが多い。
【０００８】
住宅用太陽光発電装置の施工方法としては、まずＣＡＤ（Ｃｏｍｐｕｔｅｒ　Ａｉｄｅｄ
Ｄｅｓｉｇｎ）などで設計された太陽電池モジュール配置図面および部材表を元に、施工に必要な太陽電池モジュールや化粧カバー、ダミーモジュールやその他の部材を在庫倉庫にある在庫棚から選び出す。そして取り出した部材一式をトラックなどで、施工現場まで運搬し、施工現場では施工業者が再度図面と部材を見比べながら住宅への施工を行う。
【０００９】
施工の際には、安全面から部材の電気的な配線を間違い無く行う必要がある。電気的な配線を間違い無く行う方法として、特開平１１−２６１０９５号公報に記載の太陽電池モジュール、その製造方法、その設置方法および太陽光発電システムがある。これを従来技術２とする。従来技術２では、太陽電池モジュールの端子部の種別またはその位置を識別するための識別部を太陽電池モジュールの受光面側に有することで、裏返すことなく端子部の種別またはその位置の確認が可能である。
【００１０】
なお、以下では、太陽電池モジュールとダミーモジュールとをモジュールと総称する。また、その他太陽光発電装置に必要な化粧カバー、架台、桟などを部材と総称する。
【００１１】
【発明が解決しようとする課題】
従来技術１は、設置効率を高めることは可能であるが、複数種類のサイズのモジュールを用いているので、モジュールの配置設計が難しいという問題がある。
【００１２】
配置設計とは、住宅用太陽光発電装置を設置する工程の１つで、屋根面のどの位置にどの種類の太陽電池モジュールまたはダミーモジュールを配置するかという情報を備えた配置情報を決定して出力する工程である。
【００１３】
寄棟型の屋根に対する配置設計では、屋根の形状に台形、三角形、平行四辺形またはそれらの組合せや変形四辺形など様々な形状が存在し、かつ太陽電池モジュールの形状が複数種類存在するため、配置可能な配置情報の候補が矩形型住宅用太陽光発電装置と比較して多くなる。
【００１４】
配置効率が高く、かつ美観がよいという条件を満たす配置を決定するためには、配置情報の候補を多数算出し、さらにそれぞれの候補を配置効率や美観という観点から評価し、評価のよい候補を配置情報として決定しなければならない。
【００１５】
このように複数種類の太陽電池モジュールを用いたときの配置設計は難しいため、配置設計に時間がかかってしまう。
【００１６】
また、ダミーモジュール、化粧カバーを用いると配置設計がさらに難しくなり、さらに多くの時間がかかることとなる。
【００１７】
また、これらの従来技術の欠点を克服し、短時間で配置設計を行ったとしても、太陽光発電装置を実際に屋根へ設置する際に問題が発生する。まず、複数種類の太陽電池モジュール、ダミーモジュール、化粧カバーなどの部材を間違いなく在庫場所から取り出すのが困難であり、さらに、部材の在庫場所と施工現場とは遠距離にあることが多いので、部材取り出しの間違いが１つの部材だけであっても、再度部材の運搬が必要となり、作業時間が長くなるとともに不要な出費が発生する。
【００１８】
また、設置現場においては、複数種類の部材を屋根という広い領域に配置する必要があるため、配置の間違いを起こしやすく、そのために設置できなかったり、配置効率や美観の悪い発電装置となってしまう。
【００１９】
本発明の目的は、短時間で間違うことなく配置することが可能な太陽電池モジュール、太陽光発電装置および太陽電池モジュールの製造装置を提供することである。
【００２０】
【課題を解決するための手段】
本発明は、予め定める数の太陽電池モジュールを、予め定める配置順序に従って予め定める設置面に予め定める配置順序で配置して構成される太陽光発電装置を構成する太陽電池モジュールであって、前記太陽光発電装置を設置する際に必要な情報を表示した情報表示部を備えることを特徴とする太陽電池モジュールである。
【００２１】
また本発明は、前記情報は、太陽電池モジュールの配置位置を含むことを特徴とする。
【００２２】
また本発明は、前記配置位置は、図形または文字列のいずれかで示されることを特徴とする。
【００２３】
また本発明は、前記情報は、太陽電池モジュールの配置順序を含むことを特徴とする。
【００２４】
また本発明は、前記情報は、前記太陽光発電装置を構成する太陽電池モジュールの総数を含むことを特徴とする。
【００２５】
また本発明は、前記太陽電池モジュールは複数種類あり、前記情報は、前記太陽電池モジュールの種類を識別するための文字列を含むことを特徴とする。
【００２６】
本発明に従えば、太陽光発電装置は、予め定める数の太陽電池モジュールを、予め定める配置順序に従って予め定める設置面に予め定める配置順序で配置して構成される。太陽電池モジュールは、太陽光発電装置を設置する際に必要な情報を表示した情報表示部を備えている。
【００２７】
情報表示部に表示される情報は、図形または文字列で示される太陽電池モジュールの配置位置、太陽電池モジュールの配置順序、太陽光発電装置を構成する太陽電池モジュールの総数、太陽電池モジュールの種類を識別するための文字列などである。
【００２８】
これにより、作業者は情報表示部に表示された情報を参照して設置作業を行うことで、短時間で間違うことなく太陽電池モジュールを配置することができる。
【００２９】
また本発明は、前記設置面は、複数の領域からなることを特徴とする。
本発明に従えば、設置面が複数の屋根面など複数の領域であっても、短時間で間違うことなく太陽電池モジュールを配置することができる。
【００３０】
また本発明は、前記情報表示部は、前記情報を、太陽電池モジュールに印刷して表示することを特徴とする。
【００３１】
また本発明は、前記情報表示部は、前記情報を、形状によって表示することを特徴とする。
【００３２】
また本発明は、前記情報表示部は、前記情報を記録した磁性体を用いて表示することを特徴とする。
【００３３】
本発明に従えば、情報は印刷および形状によって表示される。また、情報を記録した磁性体を用いて表示される。これにより、既存の技術を用いて情報の表示を行うことができる。
【００３４】
また本発明は、上記の太陽電池モジュールを有することを特徴とする太陽光発電装置である。
【００３５】
本発明に従えば、太陽光発電装置が上記の太陽電池モジュールを有するので、短時間で間違うことなく太陽光発電装置を設置することができる。
【００３６】
また本発明は、予め定める数の太陽電池モジュールを、予め定める配置順序に従って予め定める設置面に予め定める配置順序で配置して構成される太陽光発電装置を構成する太陽電池モジュールの製造装置であって、前記太陽光発電装置を設置する際に必要な情報を表示した情報表示部を太陽電池モジュール本体に作成する作成手段を有することを特徴とする太陽電池モジュールの製造装置である。
【００３７】
また本発明は、前記情報は、太陽電池モジュールの配置位置を含むことを特徴とする。
【００３８】
また本発明は、前記配置位置は、図形または文字列のいずれかで示されることを特徴とする。
【００３９】
また本発明は、前記情報は、太陽電池モジュールの配置順序を含むことを特徴とする。
【００４０】
また本発明は、前記情報は、前記太陽光発電装置を構成する太陽電池モジュールの総数を含むことを特徴とする。
【００４１】
また本発明は、前記太陽電池モジュールは複数種類あり、前記情報は、前記太陽電池モジュールの種類を識別するための文字列を含むことを特徴とする。
【００４２】
本発明に従えば、太陽光発電装置は、予め定める数の太陽電池モジュールを、予め定める配置順序に従って予め定める設置面に予め定める配置順序で配置して構成される。太陽電池モジュールは、太陽光発電装置を設置する際に必要な情報を表示した情報表示部を備えている。
【００４３】
情報表示部に表示される情報は、図形または文字列で示される太陽電池モジュールの配置位置、太陽電池モジュールの配置順序、太陽光発電装置を構成する太陽電池モジュールの総数、太陽電池モジュールの種類を識別するための文字列などである。
【００４４】
これにより、作業者は情報表示部に表示された情報を参照して設置作業を行うことで、短時間で間違うことなく太陽電池モジュールを配置することができる。
【００４５】
また本発明は、予め定める数の太陽電池モジュールを、予め定める配置順序に従って予め定める設置面に予め定める配置順序で配置して構成される太陽光発電装置を構成する太陽電池モジュールの製造装置であって、前記太陽光発電装置を設置する際に必要な情報を表示した情報表示部を作成する作成手段と、前記情報表示部を太陽電池モジュール本体に取り付ける取付手段とを有することを特徴とする太陽電池モジュールの製造装置である。
【００４６】
本発明に従えば、作成手段が太陽光発電装置を設置する際に必要な情報を表示した情報表示部を作成し、取付手段が情報表示部を太陽電池モジュール本体に取り付ける。
【００４７】
これにより、情報表示部が太陽電池モジュール本体と別部材で作成されるので、情報表示部の作成に失敗しても、情報表示部を破棄するだけでよく、太陽電池モジュール本体を破棄しないで済むので、製造コストを低減することができる。
【００４８】
また本発明は、前記設置面は、複数の領域からなることを特徴とする。
本発明に従えば、設置面が複数の屋根面など複数の領域であっても、短時間で間違うことなく太陽電池モジュールを配置することができる。
【００４９】
また本発明は、前記作成手段は、前記情報を、太陽電池モジュールに印刷して記載することを特徴とする。
【００５０】
また本発明は、前記作成手段は、前記情報を、形状によって表示することを特徴とする。
【００５１】
また本発明は、前記作成手段は、前記情報を磁性体に記録して表示することを特徴とする。
【００５２】
本発明に従えば、情報は、印刷および形状によって表示される。また、情報を記録した磁性体を用いて表示される。これにより、既存の技術を用いて情報表示部の作成を行うことができる。
【００５３】
また本発明は、少なくとも前記配置順序と太陽電池モジュールの種類とが関連付けられた施工順序情報を記憶する情報記憶手段と、前記施工順序情報に基づき、配置順序に従って種類に応じた太陽電池モジュール本体を供給する供給手段とを有し、前記作成手段は、前記施工順序情報に基づき、配置順序に従って配置順序と太陽電池モジュールの種類とを表示する情報表示部を作成することを特徴とする。
【００５４】
本発明に従えば、少なくとも前記配置順序と太陽電池モジュールの種類とが関連付けられた施工順序情報が情報記憶手段に記憶され、供給手段が施工順序情報に基づき、配置順序に従って種類に応じた太陽電池モジュール本体を供給する。
【００５５】
作成手段は、施工順序情報に基づき、配置順序に従って配置順序と太陽電池モジュールの種類とを表示する情報表示部を作成する。
【００５６】
これにより、情報表示部を有する太陽電池モジュールが配置順序通りに作成されるので、設置作業時に容易に太陽電池モジュールを取り出すことができ、短時間で間違いなく太陽電池モジュールを配置することができる。
【００５７】
また本発明は、前記情報記憶手段は、前記太陽光発電装置を設置する設置面の形状を示す設置面形状情報と、前記設置面における太陽電池モジュールの配置位置情報と、前記太陽電池モジュールの形状を示すモジュール形状情報とを記憶し、前記設置面形状情報、前記配置位置情報、前記モジュール形状情報および前記施工順序情報に基づいて施工図面を出力する図面出力手段を有することを特徴とする。
【００５８】
本発明に従えば、情報記憶手段は、太陽光発電装置を設置する設置面の形状を示す設置面形状情報と、設置面における太陽電池モジュールの配置位置情報と、太陽電池モジュールの形状を示すモジュール形状情報とを記憶しており、図面出力手段が、設置面形状情報、配置位置情報、モジュール形状情報および施工順序情報に基づいて施工図面を出力する。
【００５９】
これにより、作業者は、施工図面および情報表示部に表示された情報を参照して設置作業を行うことで、さらに短時間で間違うことなく太陽電池モジュールを配置することができる。
【００６０】
また本発明は、前記供給手段は、複数の太陽電池モジュール本体を蓄積した蓄積手段と、前記施工順序情報に基づき、前記蓄積部から取り出す太陽電池モジュール本体の種類を指示する指示手段と、指示された種類の太陽電池モジュール本体を前記蓄積部から取り出す取出手段と、指示された種類の太陽電池モジュールを取り出したことを通知する通知手段とを有することを特徴とする。
【００６１】
また本発明は、前記指示手段は、太陽電池モジュール本体の種類を、音声、文字および画像のいずれかによって指示することを特徴とする。
【００６２】
また本発明は、前記指示手段は、取り出す種類の太陽電池モジュール本体の蓄積場所を発光または照光することによって指示することを特徴とする。
【００６３】
また本発明は、前記取出手段は、ロボットアームまたはベルトコンベアなどの搬送装置によって前記蓄積部から太陽電池モジュール本体を取り出すことを特徴とする。
【００６４】
また本発明は、前記通知手段は、電気的なスイッチを有し、スイッチのオン／オフが切り換わることによって通知することを特徴とする。
【００６５】
また本発明は、前記通知手段は、太陽電池モジュール本体が前記蓄積部から取り出されたことを検知する検知手段を有し、前記検知手段が検知したときに通知することを特徴とする。
【００６６】
本発明に従えば、複数の太陽電池モジュール本体が蓄積手段に蓄積され、指示手段が施工順序情報に基づき、蓄積部から取り出す太陽電池モジュール本体の種類を指示する。取出手段が指示された種類の太陽電池モジュール本体を蓄積部から取り出すと、通知手段が取り出したことを通知する。
【００６７】
指示手段は、たとえば、太陽電池モジュール本体の種類を、スピーカやディスプレイなどで音声、文字および画像のいずれかによって指示したり、太陽電池モジュール本体の蓄積場所をランプの発光や、ライトによる照光などで指示する。
【００６８】
取出手段は、たとえばロボットアームまたはベルトコンベアなどの搬送装置によって蓄積部から太陽電池モジュール本体を取り出す。
【００６９】
通知手段は、たとえば電気的なスイッチのオン／オフが切り換わることによって通知したり、取り出されたことを検知する検知手段によって通知する。
【００７０】
これにより、作業者は、太陽電池モジュール本体の取り出しから供給までを容易かつ間違えずに行うことができる。
【００７１】
また本発明は、前記通知手段は、取り出された太陽電池モジュール本体の種類が、指示された種類と一致するか否かを検出する検出手段を有し、前記検出手段によって、一致していないことが検出されると、その旨を通知することを特徴とする。
【００７２】
本発明に従えば、通知手段は、取り出された太陽電池モジュール本体の種類が、指示された種類と一致するか否かを検出し、一致していないことが検出されると、その旨を通知する。これにより、太陽電池モジュール本体の取り出しの間違いをさらに防止することができる。
【００７３】
また本発明は、前記スイッチは、太陽電池モジュール本体が蓄積されている場所に設置され、太陽電池モジュール本体が取り出されるとオン／オフが切り換わることを特徴とする。
【００７４】
また本発明は、前記スイッチは、太陽電池モジュール本体の種類ごとに設置され、スイッチのオン／オフが切り換わったときに、切り換わったスイッチに対応する太陽電池モジュール本体の種類が、指示された種類と一致するか否かを検出する検出手段を有することを特徴とする。
【００７５】
本発明に従えば、スイッチが太陽電池モジュール本体が蓄積されている場所に設置され、太陽電池モジュール本体が取り出されるとオン／オフが切り換わる。また、スイッチは、太陽電池モジュール本体の種類ごとに設置され、スイッチのオン／オフが切り換わったときに、切り換わったスイッチに対応する太陽電池モジュール本体の種類が、指示された種類と一致するか否かを検出する。
これにより、通知手段および検出手段を簡単な構成で実現できる。
【００７６】
また本発明は、前記情報は、前記図面出力手段から出力された施工図面であることを特徴とする。
【００７７】
また本発明は、前記施工図面は、施工図面を表示する情報表示部を有する太陽電池モジュール自身の位置を強調して示すことを特徴とする。
【００７８】
本発明に従えば、図面出力手段から出力された施工図面が情報表示部に表示される。また、施工図面は、施工図面を表示する情報表示部を有する太陽電池モジュール自身の位置を強調して示す。
【００７９】
これにより、印刷された施工図面を必要とせず、さらに短時間で間違うことなく太陽電池モジュールを配置することができる。
【００８０】
【発明の実施の形態】
図１は、本発明の実施の一形態である太陽電池モジュール１を示す図である。太陽電池モジュール１は、太陽電池モジュール本体１０と情報表示部１１とからなり、太陽光発電装置を構成する。太陽電池モジュール本体１０は、半導体素子で構成される発電部、他の太陽電池モジュールと接続するためのジョイント部および配線などを有している。情報表示部１１は、図２に示すように、「部品名：隅・１．２５Ｎ・Ｊ」，「施工順序１／３３」など、太陽光発電装置を設置する際に必要な情報を表示する。「部品名：隅・１．２５Ｎ・Ｊ」は、太陽電池モジュール１の種類を識別するための文字列である名称などの情報を示している。また、種類だけでなくたとえば「隅」など配置位置の情報を表示してもよい。「施工順序１／３３」は、太陽光発電装置を構成する太陽電池モジュールの総数である「３３」および配置順序である「１」などの情報を示している。なお、太陽電池モジュール１の形状は、図１（ａ）のような矩形や、図１（ｂ）のような台形などがあり、設置面の形状に合わせて種々の形状の太陽電池モジュール１を組み合わせることで、たとえば図３に示すような太陽光発電装置２が構成される。太陽光発電装置２は、家屋の屋根など予め定める設置面に対して設置される。この設置面の形状および所望の発電量などに基づいて、複数種類の太陽電池モジュール１の配置位置、配置順序および総数などが予め定められる。
【００８１】
このような太陽電池モジュール１および太陽光発電装置２に関する各情報に基づいて、施工図面が作成される。図４は、施工図面３の例を示す図である。施工図面３には、設置面の形状と設置面に対する太陽電池モジュール１の配置位置と太陽電池モジュール１の配置順序とが示されている。また、太陽電池モジュール１の種類を識別する名称を示してもよい。
【００８２】
図４において、外形線は設置面の形状を表している。また、「２Ｍ」、「１．５Ｍ」、「１Ｍ」のいずれかの文字列が記載された矩形は、太陽電池モジュール１を表す。また、太陽電池モジュール以外の矩形、三角形、台形はダミーモジュールを表す。図中の「１Ｍ」、「１．５Ｍ」、「２Ｍ」、「隅・１．２５Ｎ・Ｊ」、「２Ｎ・Ｊ」、「１．５Ｎ・Ｊ」、「１．２５Ｎ・Ｊ隅」、「寄」、「Ｄ・１．２５Ｎ・Ｊ」、「０．２５Ｎ・隅」などの記載は、各モジュールの名称である。また、１〜３３の連番はモジュールの配置順序を表している。
【００８３】
以上のように、太陽電池モジュール１の情報表示部１１には、上述のように太陽電池モジュール１の種類、配置位置、配置順序および総数などが表示されているので、作業者は、施工図面３および情報表示部１１に表示された情報を参照して設置作業を行うことで、短時間で間違うことなく太陽電池モジュール１を配置することができる。
【００８４】
次に、太陽電池モジュール１の製造装置について説明する。
図５は、太陽電池モジュール１製造装置１００の構成を示すブロック図である。太陽電池モジュール１の製造装置（以下では製造装置と略称する。）１００は、部材供給手段１０１、情報表示部作成手段１０２、図面出力手段１０３および情報記憶手段１０４を有する。
【００８５】
まず、情報記憶手段１０４が記憶している各情報について説明する。情報記憶手段１０４は、設置面形状情報１０４ａ、配置位置情報１０４ｂ、モジュール形状情報１０４ｃおよび施工順序情報１０４ｄを記憶する。
【００８６】
設置面形状情報１０４ａは、家屋の屋根および壁などの太陽光発電装置２を設置する設置面の形状を示す情報である。設置面の形状は、図形で示されていてもよいし、座標などの文字列の集合で示されていてもよい。配置位置情報１０４ｂは、設置面形状に基づいて太陽電池モジュール１を配置する位置を示す情報である。配置位置は、図形で示されていてもよいし、座標などの文字列の集合で示されていてもよい。モジュール形状情報１０４ｃは、太陽電池モジュール１の種類毎の形状を示す情報である。モジュールの形状は、図形で示されていてもよいし、座標などの文字列の集合で示されていてもよい。また、モジュール形状情報１０４ｃは、太陽電池モジュール１を識別するための名称が含まれていてもよい。施工順序情報１０４ｄは、太陽電池モジュール１の配置位置、種類、名称などの情報の少なくとも１つと配置順序とを関連付けて示す情報である。図６は、施工順序情報１０４ｄの例を示す図である。図６では、配置順序を示す数字と、名称を示す文字列と、配置位置を示す座標数値とが関連付けられている。
【００８７】
製造装置１００は、これらの情報に基づいて太陽電池モジュール１の製造および施工図面３の出力を行う。
【００８８】
次に各手段の動作について説明する。
部材供給手段１０１は、棚や箱などで構成され、複数の太陽電池モジュール本体１０を種類ごとに区別して蓄積する部材蓄積手段１０１ａと、蓄積部から取り出す太陽電池モジュール本体１０の種類を指示する指示手段１０１ｂと、指示された種類の太陽電池モジュール本体１０を蓄積手段１０１ａから取り出す部材取出手段１０１ｃと、指示された種類の太陽電池モジュールを取り出したことを通知する通知手段（図示せず）とを備える。
【００８９】
まず、施工順序情報１０４ｄに基づいて、配置順序が「１」の太陽電池モジュール本体１０が蓄積されている場所を指示手段１０１ｂが指示する。指示は、たとえば太陽電池モジュール本体１０の種類ごとに備え付けられたランプなどが点灯することで行われる。コンピュータによって制御されるロボットアームまたはベルトコンベアなどの搬送装置からなる部材取出手段１０１ｃは、ランプが点灯した場所を検知し、太陽電池モジュール本体１０を取り出して表示部作成手段１０２に搬送する。太陽電池モジュール本体１０が取り出されると、通知手段であるランプが消灯する、光の色を変えるなどして取り出されたことを通知する。通知の対象は、作業者でもよいし、図示しない管理装置などであってもよい。
【００９０】
なお、部材取出手段１０１ｃは、作業者が指示を受けて搬送装置を操作することで取り出すようにしてもよい。また、指示手段１０１ｂは、ランプの点灯に限らず、蓄積場所をライトなどの光源で照らす、太陽電池モジュールの名称や種類などをスピーカやディスプレイによって音声、文字、画像などで出力してもよい。特に作業者が操作をする場合、ランプの点灯や蓄積場所をライトなどの光源で照らすことで、作業者が太陽電池モジュール本体１０と、種類や名称とを照合せずに取り出すことができるので、作業者の負担が低減されるとともに取り出しの間違いを防ぐことができる。
【００９１】
また、通知手段は、ランプに限らず、センサなどの検知手段や電気的なスイッチでもよい。電気的なスイッチは、たとえば搬送装置が取り出し位置に移動したとき、作業者が移動したときなどにオン／オフが切り換わる構成にすればよい。センサは、接触型、非接触型に限らず、太陽電池モジュール本体１０が、蓄積されている位置から移動したことを検知し、検知した結果を通知する構成にすればよい。このとき、指示された種類と異なる種類の太陽電池モジュール本体１０が取り出されたことを検知するように構成すれば取り出しの間違いを防ぐことができる。
【００９２】
表示部作成手段１０２は、部材供給手段１０１から太陽電池モジュール本体１０を受け取り、施工順序情報１０４ｄに基づいて、配置順序の「１」に関連付けられた名称「隅・１．２５Ｎ・Ｊ」および配置位置の座標「（１００，１００）」などを、太陽電池モジュール本体１０にインクジェットプリンタなどで印刷して情報表示部１１を作成する。情報表示部１１が作成された太陽電池モジュール１は、搬送用のコンテナ１０５などに蓄積される。
【００９３】
以上の動作を配置順序に従って太陽電池モジュール１の総数と同じ回数だけ繰り返す。搬送用のコンテナには、情報表示部１１を有する太陽電池モジュール１が配置順序通りに蓄積されるので、設置作業時に容易に太陽電池モジュールを取り出すことができ、短時間で間違いなく太陽電池モジュール１を配置することができる。なお、搬送用コンテナの構造などによっては、配置順序「１」からではなく「３３」から逆順で作成してもよい。
【００９４】
ここで、表示部作成手段１０２についてさらに詳細に説明する。上記では、太陽電池モジュール本体１０に情報表示部１１を作成する場合について説明したが、表示部作成手段１０２は、情報表示部１１を太陽電池モジュール本体１０とは別部材として作成し、図示しない取付手段によって情報表示部１１を太陽電池モジュール本体１０に取り付ける構成にしてもよい。この構成の場合、情報表示部１１の作成に失敗しても、情報表示部１１を破棄するだけでよく、太陽電池モジュール本体１０を破棄しないで済むので、製造コストを低減することができる。
【００９５】
また、情報表示部１１は印刷以外に、太陽電池モジュール本体１０表面の形状変化、磁性体への記録などによって情報を表示することもできる。
【００９６】
具体的な情報表示部１１の形成方法としては、以下のような方法がある。
・切削によって、太陽電池モジュール本体１０の表面を削る。
・太陽電池モジュール本体１０の一部を折り曲げるまたは、切り取る。
・熱、光、圧力、薬品塗布などよって太陽電池モジュール本体１０の表面を溶解または軟化させ、溶解中または軟化中に型を押し当てたり、気圧差を用いて型に吸引して変形させる。
・予め太陽電池モジュール本体１０の一部または全体を、可塑性を有する材料で作成し、可塑性を有する部分に型を押し当てたり、気圧差を用いて型に吸引して変形させる。
・熱、光、圧力、薬品塗布などによって、太陽電池モジュール本体１０の表面の色や状態を変化させる。
・予め太陽電池モジュール本体の一部または全体を磁性体で形成し、磁性体を磁化させて各情報を記録する。
・情報表示部１１が別部材である場合、上記の方法でシート状の紙、樹脂、磁性体に情報を表示し、太陽電池モジュール本体１０に取り付ける。
【００９７】
図面出力手段１０３は、設置面形状情報１０４ａ、配置位置情報１０４ｂ、モジュール形状情報１０４ｃおよび施工順序情報１０４ｄに基づいて、図４に示したような施工図面３を作成して出力する。図面出力手段１０３の具体的構成としては、汎用のコンピュータ、各情報から図面情報を作成するアプリケーションソフトおよび図面情報を印刷するプリンタによって構成可能であるが、これに限るものではない。
【００９８】
以上のように、製造装置１００は、情報表示部１１を有する太陽電池モジュール１０の製造と施工図面３の出力を行う。
【００９９】
図８は、本発明の他の実施形態の情報表示部１１を示す図である。
本実施形態では、情報表示部１１が表示する情報が施工図面３となっている。この場合、太陽電池モジュール１が施工図面３の情報を全て有しているので、施工図面３を紙などに出力する必要がない。また、施工図面３では、情報表示部１１を有する太陽電池モジュール１を識別できるように、太陽電池モジュール１自身に相当する部分がハッチングなど強調表示されている。
【０１００】
本実施形態では、設置作業の際に施工図面を必要とせず、太陽電池モジュール１のみで配置することができる。なお、強調表示の方法としては、ハッチングに限らず、色の違い、線種や線の太さなどの違いによる強調など、太陽電池モジュール１が識別可能であればどのような方法でもよい。また、施工図面に限らず、配置位置を座標数値や位置を表す数字や記号で表示してもよい。データリーダなどで情報表示部１１の情報を参照する場合は、座標数値や位置を表す数字や記号の方が読み取り易い。
【０１０１】
図９は、本発明の他の実施形態である製造装置２００の構成を示す図である。製造装置２００を構成する各手段については、表示部作成手段１０２ａおよび図面作成手段１０３ａの動作のみが図５に示した製造装置１００と異なるので、他の手段については図５と同様の参照符号を付して説明を省略する。
【０１０２】
図面作成手段１０３ａは、設置面形状情報１０４ａ、配置位置情報１０４ｂ、モジュール形状情報１０４ｃおよび施工順序情報１０４ｄに基づいて作成した図面情報を印刷などで紙に出力するのではなく、表示部作成手段１０２ａに出力する。表示部作成手段１０２ａは、図面情報を受け取り、印刷など前述の各種方法によって図面情報を情報表示部１１に表示する。
【０１０３】
なお、上記では太陽光発電装置２を設置する設置面が１つの領域（屋根面）の場合について説明したが、設置面が複数の屋根面に渡る場合でも、本発明は適応可能である。複数の屋根面に配置する全ての太陽電池モジュール１が情報表示部１１を有するようにすることで、複数の屋根に渡って配置される場合でも、短時間で間違うことなく太陽電池モジュール１を配置することができる。
【０１０４】
また、上記では太陽光発電装置２を構成する全ての太陽電池モジュール１が情報表示部１１を有する場合について説明したが、全ての太陽電池モジュール１ではなく、間違えて配置しやすい一部の太陽電池モジュール１、たとえばダミーモジュールのみが情報表示部１１を有していてもよい。図７は、化粧カバーおよびダミーモジュールのみが情報表示部１１を有する場合の施工図面３ａの例を示す図である。この場合、本発明の情報表示部１１の作成動作が少なくてすむので、製造コストを削減することができる。
【０１０５】
【発明の効果】
以上のように本発明によれば、作業者は情報表示部に表示された情報を参照して設置作業を行うことで、短時間で間違うことなく太陽電池モジュールを配置することができる。
【０１０６】
また本発明によれば、設置面が複数の屋根面など複数の領域であっても、短時間で間違うことなく太陽電池モジュールを配置することができる。
【０１０７】
また本発明によれば、既存の技術を用いて情報の表示を行うことができる。
また本発明によれば、短時間で間違うことなく太陽光発電装置を設置することができる。
【０１０８】
また本発明によれば、情報表示部が太陽電池モジュール本体と別部材で作成されるので、情報表示部の作成に失敗しても、情報表示部を破棄するだけでよく、太陽電池モジュール本体を破棄しないで済むので、製造コストを低減することができる。
【０１０９】
また本発明によれば、情報表示部を有する太陽電池モジュールが配置順序通りに作成されるので、設置作業時に容易に太陽電池モジュールを取り出すことができ、短時間で間違いなく太陽電池モジュールを配置することができる。
【０１１０】
また本発明によれば、作業者は、太陽電池モジュール本体の取り出しから供給までを容易かつ間違えずに行うことができる。
【０１１１】
また本発明によれば、通知手段および検出手段を簡単な構成で実現できる。
また本発明によれば、印刷された施工図面を必要とせず、さらに短時間で間違うことなく太陽電池モジュールを配置することができる。
【図面の簡単な説明】
【図１】本発明の実施の一形態である太陽電池モジュール１を示す図である。
【図２】情報表示部１１を示す図である。
【図３】太陽光発電装置２の構成を示す図である。
【図４】施工図面３の例を示す図である。
【図５】太陽電池モジュール１の製造装置１００の構成を示すブロック図である。
【図６】施工順序情報１０４ｄの例を示す図である。
【図７】化粧カバーおよびダミーモジュールのみが情報表示部１１を有する場合の施工図面３ａの例を示す図である。
【図８】本発明の他の実施形態の情報表示部１１を示す図である。
【図９】本発明の他の実施形態である製造装置２００の構成を示す図である。
【符号の説明】
１　太陽電池モジュール
２　太陽光発電装置
３　施工図面
１０　太陽電池モジュール本体
１１，１１ａ　情報表示部
１００，２００　太陽電池モジュール製造装置
１０１　部材供給手段
１０１ａ　部材蓄積手段
１０１ｂ　指示手段
１０１ｃ　部材取り出し手段
１０１ｄ　通知手段
１０２，１０２ａ　情報表示部作成手段
１０３，１０３ａ　図面出力手段
１０４　情報記憶手段
１０４ａ　設置面形状情報
１０４ｂ　配置位置情報
１０４ｃ　モジュール形状情報
１０４ｄ　施工順序情報
【図１】
2004047805.tif 000003
【図２】
2004047805.tif 000004
【図３】
2004047805.tif 000005
【図４】
2004047805.tif 000006
【図５】
2004047805.tif 000007
【図６】
2004047805.tif 000008
【図７】
2004047805.tif 000009
【図８】
2004047805.tif 000010
【図９】
2004047805.tif 000011